(57)【要約】  【課題】  本発明の目的は、上下水道用等の各種配管、あるいは保護管を雨水貯水施設の周囲を迂回させることなく布設せしめ、配管、あるいは保護管の材料費や布設工事費等を大幅にコストダウンできる雨水貯水施設を提供することにある。  【解決手段】  本発明の雨水貯水施設は、地面１を掘り下げて設けられた内部に樹脂製骨格ブロック４が３次元的に配置された雨水貯水施設を横切って、配管１６、または配管あるいはケーブルを収納した保護管１７が設けられているもので、より具体的には、この雨水貯水施設は、配管１６、あるいは保護管１７が横切る配管布設用溝状空間１５を有していて、この配管布設用溝状空間１５内に配管１６、あるいは保護管１７が布設されていることを特徴としている。  【選択図】  図１
2008231704.tif 000002
【特許請求の範囲】
【請求項１】
地面を掘り下げて設けられた内部に空間保持骨格ブロックが３次元的に配置された雨水貯水施設において、該雨水貯水施設を横切って配管、または配管あるいはケーブルを収納した保護管が設けられていることを特徴とする雨水貯水施設。
【請求項２】
前記雨水貯水施設は、前記配管、または配管あるいはケーブルを収納した保護管が横切る配管布設用溝状空間を有していて、この配管布設用溝状空間内に前記配管、または配管あるいはケーブルを収納した保護管が布設されていることを特徴とする請求項１記載の雨水貯水施設。
【請求項３】
前記配管布設用溝状空間は、前記雨水貯水施設を上から見た設置面の短辺を横切るように形成されていることを特徴とする請求項２記載の雨水貯水施設。
【請求項４】
前記配管布設用溝状空間は、前記雨水貯水施設に対して階段状に形成されていることを特徴とする請求項２記載の雨水貯水施設。
【請求項５】
前記配管布設用溝状空間は、前記雨水貯水施設の輪郭の一部をなし、その部分が防水または防砂されていることを特徴とする請求項２〜請求項４いずれかに記載の雨水貯水施設。
【請求項６】
前記配管、または配管あるいはケーブルを収納した保護管は、前記雨水貯水施設を貫通していることを特徴とする請求項１記載の雨水貯水施設。
【請求項７】
前記配管、または配管あるいはケーブルを収納した保護管は、支持部材で支持されていることを特徴とする請求項２〜請求項６いずれかに記載の雨水貯水施設。
【請求項８】
前記支持部材は、前記雨水貯水施設に固定されていることを特徴とする請求項７記載の雨水貯水施設。
【発明の詳細な説明】
【技術分野】
【０００１】
本発明は、例えば、ビルや集合住宅、あるいは戸建の住宅等の駐車場や駐輪場等の地下に形成される雨水貯水施設に関するものである。
【背景技術】
【０００２】
従来から、例えば、大雨の際、雨水の急激な河川への流出を防ぐ等（浸透型または一時貯留型雨水貯水施設という）の目的から、あるいは雨水を防火用として、また花壇や菜園等の散水用として、さらには洗車用として利用（常時貯留型雨水貯水施設という）すべく、ビルや団地周辺の空き地、あるいは駐車場や駐輪場等の地下に貯水施設を設け、これに雨水を貯える試みが種々成されてきた。
特に昨今では、夏季の水不足に備えて、新しく団地を建設するような場合には、しばしばこの種の雨水貯水施設が設けられるようになってきている。また、団地のような大きな建物周辺に限らず、戸建ての住宅等でも雨水の利用が考えられるようになって来ている。具体的には、花壇や庭への散水用として、あるいは洗車用に、さらには洗濯用水等への利用が考えられている。
【０００３】
この種の雨水貯水施設の一例として、特許文献１に記載されているようなものがある。
この雨水貯水施設は地面を掘り下げて、例えば、平面形状が長方形の堀穴を形成し、しかる後この堀穴の内表面（側面及び底面を含む）を、例えば、遮水性シートもしくは透水性シートで覆った後、その内部に、例えば、箱型の空間保持骨格ブロックを複数個、上下縦横に組み上げて、空間保持骨格（貯水空間）を形成し、最後にこの空間保持骨格上に、例えば樹脂製の天板を敷き詰めたり、この天板上に透水性シートを被せたり、あるいはこの透水性シ−ト上にさらに土を埋め戻したりして被覆層を形成し、内部に雨水を貯水できるようにしたものである。
【０００４】
尚、前記空間保持骨格ブロックとしては、これまで種々の形状のものが考え出されており、前述した箱型以外にも円筒型、トレイ型等がある。但し、いずれの形状のものでも、内部にできるだけ大きな空間保持骨格を構成できること、かつ被覆層の上からの圧力に対して充分な耐圧強度があること、空間保持骨格ブロック同士の組み立てが容易なこと、等が考慮され、設計されている。
【０００５】
【特許文献１】特公平４−２６６４８号公報（特開昭６３−２６８８２３号）
【発明の開示】
【発明が解決しようとする課題】
【０００６】
ところで、この種の雨水貯水施設の近辺に上下水道用等の各種の配管を布設しなければならない状況が当然起こり得るが、前記特許文献１をはじめこれまでの公知文献においては、雨水貯水施設に関連してこれら配管の布設に関して具体的に述べた資料は見当たらない。
因みに、戸建住宅用等の貯水量が数トン程度の小型の雨水貯水施設の場合であれば、住宅用の、例えば、上下水道等の地下埋設用配管類を、この雨水貯水施設を迂回して布設することは比較的容易である。
【０００７】
しかしながら、郊外に建設される大型店舗の駐車場等の地下に建設される雨水貯水施設のように、総貯水量が一万トンを優に超えるような規模の大型のものでは、面積が１０００ｍ２を超えるようなものも珍しくない。このような大型の雨水貯水施設にあっては、地下に埋設する各種配管類を迂回させることは極めて困難である。
何故ならば、迂回させれば必要な配管の長さが長くなり、配管の費用や布設工事費用がその分高額になる。また、特に下水用の配管の場合には、最寄りの下水道本管まで、通常２％以上（雨水配水管の場合は通常１％以上）の勾配を付けなければならないが、配管が雨水貯水施設を迂回するため曲がりくねっている場合、布設距離が長過ぎて勾配付けが技術的に難しく、２％以上の勾配を確保できない場合がある。この点からも布設工事費が嵩んでしまうという問題がある。
このように勾配を付けるのが困難な場合、上下水をポンプ等で圧送する方法もあるが、この場合にはポンプの設置費、稼動費及び維持管理費等が生じ、これもコストアップの原因になる。
これらの費用として数千万円の初期投資がかかることもある。その上、前述した維持管理費が必要になる。
【０００８】
具体的には、図８に示すように、駐車場等の地下に形成した大型の雨水貯水施設において、下水道等の配管１６を雨水貯水施設の貯水部２を迂回させて布設しようとすると、１６ａ、１６ｂ、１６ｃ及び１６ｄが示すように複数の曲り部を形成しながら、雨水貯水施設２の周囲を取り囲むように迂回させなければならない。
このようにすると、前述したように配管１６の布設長を長くしなければならない。加えて、曲り部１６ａ、１６ｂ、１６ｃ及び１６ｄが形成されている配管１６に、最寄りの下水道本管に向けて２％またはそれ以上の傾斜を付けるのは極めて高度な技術が必要で、それ故、技術的に困難な場合が多い。その結果、配管１６、または必要によりこの配管１６を波付き管等の保護管で収納した場合には、配管１６及び保護管の材料費も嵩むし、工事費も高額になってしまう。
また、勾配を付けるかわりにポンプで圧送しようとしても、曲り部が多いとポンプ効率も落ちるし、特に下水の場合には曲り部で滞留を起こす可能性も高い。
【０００９】
前述の問題に鑑み本発明の目的は、上下水道用等の各種配管、または配管あるいはケーブルを収納した保護管を雨水貯水施設の周囲を迂回させることなく雨水貯水施設を横切るように布設せしめることにより、前記配管、または配管あるいはケーブルを収納した保護管の材料費や布設工事費等を大幅にコストダウン可能な雨水貯水施設を提供することにある。
【課題を解決するための手段】
【００１０】
前記目的を達成すべく本発明の請求項１記載の雨水貯水施設は、地面を掘り下げて設けられた内部に空間保持骨格ブロックが３次元的に配置された雨水貯水施設において、該雨水貯水施設を横切って配管、または配管あるいはケーブルを収納した保護管が設けられていることを特徴とするものである。
また、請求項２記載の雨水貯水施設は、請求項１記載の雨水貯水施設において、前記雨水貯水施設は、前記配管、または配管あるいはケーブルを収納した保護管が横切る配管布設用溝状空間を有していて、この配管布設用溝状空間内に前記配管、または配管あるいはケーブルを収納した保護管が布設されていることを特徴とするものである。
さらにまた、請求項３記載の雨水貯水施設は、請求項２記載の雨水貯水施設において、前記配管布設用溝状空間は、前記雨水貯水施設を上から見た設置面の短辺を横切るように形成されていることを特徴としている。
【００１１】
また、請求項４記載の雨水貯水施設は、請求項２記載の雨水貯水施設において、前記配管布設用溝状空間は、前記雨水貯水施設に対して階段状に形成されていることを特徴としている。
加えて、請求項５記載の雨水貯水施設は、請求項２〜請求項４いずれかに記載の雨水貯水施設において、前記配管布設用溝状空間は、前記雨水貯水施設の輪郭の一部をなし、その部分が防水または防砂されていることを特徴としている。
さらに、請求項６記載の雨水貯水施設は、請求項１記載の雨水貯水施設において、前記配管、または配管あるいはケーブルを収納した保護管は、前記雨水貯水施設を貫通していることを特徴とするものである。
【００１２】
さらにまた、請求項７記載の雨水貯水施設は、請求項２〜請求項６いずれかに記載の雨水貯水施設において、前記配管、または配管あるいはケーブルを収納した保護管は、支持部材で支持されていることを特徴としており、請求項８記載の雨水貯水施設は、請求項７記載の雨水貯水施設において、前記支持部材は、前記雨水貯水施設に固定されていることを特徴としている。
【００１３】
このようにしてなる本発明の雨水貯水施設によれば、布設する配管、または配管あるいはケーブルを収納した保護管を雨水貯水施設の周囲を迂回させることなく、直接雨水貯水施設を横切らせて布設する。
具体的には、例えば、雨水貯水施設の上部または下部に配管布設用溝状空間を形成して、この配管布設用溝状空間内に配管、または配管あるいはケーブルを収納した保護管を布設するか、あるいは雨水貯水施設を直接貫通するように布設する。そのため布設に必要な配管あるいは保護管の長さは、例えば、下水用の配管であれば下水道本管までのほぼ直線距離で済む。このように直線的に布設できれば下水道本管までの必要な勾配も付け易い。すなわち、布設工事も容易になるし、ポンプ等の圧送手段を使わずに済む可能性も高くなる。
【発明の効果】
【００１４】
以上のように本発明によれば、上下水道用等の各種配管、または配管あるいはケーブルを収納した保護管を雨水貯水施設の周囲を迂回させることなく雨水貯水施設を横切るように布設せしめることにより、前記配管、または配管あるいはケーブルを収納した保護管の材料費や布設工事費等を大幅にコストダウン可能な雨水貯水施設を提供することができる。
【発明を実施するための最良の形態】
【００１５】
以下に図を用いて、本発明の雨水貯水施設の一実施例を詳細に説明する。図１は本発明の雨水貯水施設の一実施例を示す概略断面図、図２はその一部平面図である。
図１に示すように、地面１を掘り下げて、平面形状が、例えば、略長方形あるいは略正方形で面積が約１０００ｍ２、完成時の貯水部２の高さが約２ｍの貯水部２を形成する。尚、敷地の形状等の制約を受ける場合には、例えば、略Ｌ字状に形成される場合もある。
貯水部２を形成したら、しかる後貯水部２の内表面全体、すなわち底面や側面全体を必要なら透水性シ−トあるいは遮水シートで覆う。
因みに、この雨水貯水施設が浸透型雨水貯水施設であれば透水性シ−トで、貯留型雨水貯水施設であれば遮水シートで覆う。
【００１６】
図１に示すものは都市型の洪水に対処するための浸透型の雨水貯水施設を示しているので、貯水部２の内表面を透水性シ−トで覆う。この透水性シ−トとしては、例えば、厚さ１ｍｍ〜５ｍｍ前後の不織布が用いられる。この不織布は貯水部２内の雨水を地中へと浸透させる作用と同時に、貯水部２の内表面、すなわち、地表面側から細かな土砂が貯水部２内に侵入して貯水部２内に堆積することのないように土砂の侵入を防止する侵入防止部材としての作用も有する。
【００１７】
透水性シ−トで覆ったら、その内側の４面の側面に樹脂製の壁材を積み上げて側壁５を形成する。しかる後、貯水部２の底面３上に樹脂製、例えばポリプロピレン製の空間保持骨格ブロック４（以下単に樹脂製骨格ブロック４という）を３次元的に、すなわち、上下縦横に複数個連結して空間保持骨格、すなわち、貯水空間を形成する。ところで図１においては、図を簡略化するため樹脂製骨格ブロック４の一部のみ記載し、大部分は省略しているが、実際には貯水部２内に隈なく樹脂製骨格ブロック４が組み込まれる。
尚、図１に示す樹脂製骨格ブロック４は円筒体の両端（図では上下）に正方形状の枠体が一体成形された樹脂製のもので、図示してはいないが、枠体部分に連結突起やこの連結突起が嵌合する嵌合穴をそれぞれが有していて、互いの連結突起を相手の嵌合穴に嵌合させて順次連結し、貯水空間を形成している。
尚、ここでは、隣接する樹脂製骨格ブロック４同士を互いに連結して配置する説明を行ったが、設計によっては、必ずしも連結せずに、単に上下縦横に並べて配置することもあり得る。
【００１８】
前記樹脂製骨格ブロック４の形状は種々あり、例えば、図１に示す樹脂製骨格ブロック４以外に、箱型のもの、円筒状のもの、トレイ状のもの等種々考案されている。それ故、この発明においても図１に示す形状のものに限定されるものではない。この場合も、これら箱型、円筒状、トレイ状等の種々の形状の樹脂製骨格ブロック４を、上下縦横に並べて配置できることはいうまでもない。
因みに、このように樹脂製骨格ブロック４で形成された空間保持骨格の貯水空隙率は９０％以上であることが好ましい。
【００１９】
貯水部２内全体に樹脂製骨格ブロック４による空間保持骨格を形成したら、必要ならその上に樹脂製の天板６を載せた後、透水性シ−トを被せ、さらにその上に掘り起こした土を埋め戻す等して被覆層７を形成する。因みに、この被覆層７の厚さＨは、通常約１ｍ〜２ｍである。
ところで、図１において、符号９は雨水の流入口で、その直前に石や砂利等の大きな土砂を沈殿させる沈殿槽１０を有している。また符号１１は貯水部２内の状態、例えば土砂の堆積状態を観察するためのマンホール、そして符号１２は貯水部２の流出口を示している。
【００２０】
このようにしてなる図１に示す雨水貯水施設における特徴は、貯水部２の一部に、図に向かって手前から紙面を貫くように、換言すると、図２において下から上に向かって配管布設用溝状空間１５を設け、この配管布設用溝状空間１５内に配管１６を配設してある点にある。尚、この例では配管１６が下水管であるため、重力で下水を流す必要からこの配管１６は、図２で説明すると、図２の下から上に向かって２％以上の勾配で下がっていき、その先端は下水道本管に繋がっている。因みに、２％の勾配で下がるとは、１００ｍで２ｍ下がる勾配を意味している。
尚、この例では配管１６の勾配を２％に設計しているが、例えば、配管１６内を流れる汚泥の性質によっては、勾配を４％、あるいは５％等より大きな勾配に設計する場合もある。
【００２１】
ところで、配管布設用溝状空間１５は、この実施例では前述した樹脂製骨格ブロック４を水平方向に１列分連続して外した状態にして、出来た空間を樹脂製あるいはコンクリート製の壁材やＵ字管で仕切って形成している。このように、例えば壁材で貯水部２と仕切って配管布設用溝状空間１５を形成したら、この配管布設用溝状空間１５内に配管１６を配設し、必要ならさらに配管布設用溝状空間１５と配管１６との隙間に砂礫や土砂等を充填しておくこともできる。そのようにしておけば地震等の揺れを緩和でき、配管１６への損傷を少なくでき好ましい。また、配管布設用溝状空間１５の内側、すなわち、壁材の表面を不織布等の透水性シ−トで覆ってもよい。このようにしておけば、配管布設用溝状空間１５側から貯水部２内への土砂の侵入を防止でき、好ましい。
ここで、配管布設用溝状空間１５を形成するために外す樹脂製骨格ブロック４の段数（高さ方向）及び列数（水平方向）は、形成する配管布設用溝状空間１５の幅や高さ、あるいは長さに応じて適宜決定される。また、この方法によれば樹脂製骨格ブロック４を外すだけで配管布設用溝状空間１５を形成できるので、設計や工事も極めて容易である。
【００２２】
また、前述したように、樹脂製骨格ブロック４を連続して外す場合に、雨水貯水施設の端部から途中までは樹脂製骨格ブロック４を一段ずつ外し、途中から二段分外すようにして、配管布設用溝状空間１５を高さ方向に階段状に形成することもできる。このようにすれば配管布設用溝状空間１５の勾配をより容易に、しかも勾配を大きく取ることができ便利である。
さらに、この際、通常の１単位の大きさの樹脂製骨格ブロック４に加え、例えば、その高さが１／２、あるいは１／３の樹脂製骨格ブロック４を予め用意しておけば、この配管布設用溝状空間１５の形成作業がより容易になる。
【００２３】
また、配管１６としては、硬質塩化ビニル管等の樹脂管、ヒューム管等のコンクリート管あるいは鉄管等の金属管が使用できる。また、例えば、前記樹脂管や金属管の場合、直管でもよいが、例えば、内部に通信ケーブル等を収納するものにあっては、これを波付き管にすれば、波付き管の方が可撓性に富むため布設工事がより容易になり好ましい。
ところで、前記実施例では配管１６として下水管の例を述べているが、図３及び図４に示すように、内部に配管１６あるいは通信ケーブルや電力ケーブル等のケーブル１８を収納した保護管１７を、図１、図２に示す配管１６の代わりに布設することもできるし、あるいはまた、ケーブル１８を収納した配管１６を、さらに保護管１７内に収納したものを布設することもできる。
この保護管１７としては、例えば、金属製あるいは樹脂製の波付き管等を用いることができる。この波付き管としても、波が独立した形状のもの、あるいはまた螺旋状のもの、いずれのものであってもよい。もちろん、保護管１７は波付き管に限定されるものではなく、波付きのない、単なる直管であってもよいことは言うまでもないが、波付き管にした方が可撓性に富むため布設工事がより容易になり好ましい。
また、この保護管１７の中には、前述したケーブル類以外に、図３に示すように給水管、排水管、ガス管等の流体用の配管も１６を収納することができるが、通常、ケーブル類と流体用の配管１６は区別して使用される場合が多い。
【００２４】
ところで、雨水貯水施設を横切る配管１６や保護管１７として、配管１６を選ぶか、あるいはまた保護管１７を布設するかは、現場の状況やユーザーのニーズ、さらには関連する法の規制内容に応じて適宜選択すればよい。
因みに、配管１６の代わりに配管１６入りの保護管１７を布設しておけば、内側の配管１６を交換する際、配管長手方向全体を掘り起こす必要がなく、保護管１７内の配管１６だけを交換すればよい。それ故、配管１６の交換作業を極めて容易に行うことができ便利である。
【００２５】
図１、図２に示すように貯水部２を横切る配管布設用溝状空間１５内に配管１６あるいは保護管１７を布設することにより、配管１６あるいは保護管１７を直線状に布設できる。それ故、必要な配管１６、または保護管１７の長さは雨水貯水施設を迂回する場合に比して大幅に短くでき、配管１６や保護管１７の材料費を大幅に低減できる。また配管１６や保護管１７の布設が直線的であり、かつ短いから工事も容易で、例えば、残土処理も少なくて済む等、環境にもやさしく、しかも工事費の大幅な低減も可能である。
さらには、配管１６が下水管であれば、前述したように２％以上の勾配を付ける必要があるが、配管１６が直線状で、短いから勾配を付けるのも容易である。この点からも工事費の削減が可能である。
【００２６】
以下に図５〜図７を用いて、本発明の雨水貯水施設の別の実施例を示す。尚、図１、図２と同じものには同一の符号を付してある。
図５は本発明の雨水貯水施設の別の実施例を示している。図５は雨水貯水施設の一部概略断面図である。
図５に示す雨水貯水施設の特徴は、図１に示す貯水部２の左上方肩部に配管布設用溝状空間１５を形成し、配管１６または保護管１７を布設した点にある。この場合も貯水部２とは樹脂製の壁材で仕切ってある。また配管１６または保護管１７の周囲には砂礫や土砂が充填されている。
【００２７】
尚、点線が示すように、配管１６あるいは保護管１７の周囲全体を板状の壁材で覆うようにしてもよい。この場合にも、配管布設用溝状空間１５内における配管１６あるいは保護管１７の周囲に砂礫や土砂等を充填してもよいことはいうまでもない。このようにすると、雨水貯水施設の配管布設用溝状空間１５が砂礫や土砂等により埋められて強度的に安定するので好ましい。また、配管布設用溝状空間１５の周囲にコンクリートを打設することもできる。このようにすればより一層配管布設用溝状空間１５が安定する。さらに、配管布設用溝状空間１５内に、内部に通信ケーブルや電力ケーブルを収納した配管１６、あるいは保護管１７を布設するような場合には、配管布設用溝状空間１５の内面、すなわち、壁材の内側を遮水性シートで覆うこともできる。このようにすれば配管布設用溝状空間１５をより確実に防水することができる。
【００２８】
図６は本発明の雨水貯水施設のさらに別の実施例を示す概略断面図である。図１に示す雨水貯水施設との違いは、配管布設用溝状空間１５を貯水部２の下部に設けた点のみである。この場合においては、下段の左から２列目の樹脂製骨格ブロック４を紙面に対して手前から奥に向かって１列総て外して通路を作り、貯水部２と樹脂製またはコンクリート製の壁材等で仕切って配管布設用溝状空間１５を形成した。そして配管布設用溝状空間１５内に配管１６、または保護管１７を布設すると共に配管１６、または保護管１７の周囲には必要により砂礫や砂等を充填することもできる。
【００２９】
図７は、本発明の雨水貯水施設の別の実施例を示す概略断面図である。この雨水貯水施設の特徴は、配管１６、あるいは保護管１７の布設に際し、配管布設用溝状空間１５を設けることなく、貯水部２内を直接貫通させた点にある。
このように、配管１６、あるいは保護管１７を雨水貯水施設に対して直接貫通させれば、配管１６、あるいは保護管１７を雨水貯水施設を迂回させずに済むだけでなく、一般的にいって、配管布設用溝状空間１５を形成する場合よりも、設置面積が少なくて済み、それ故、配管１６、あるいは保護管１７を横切らせることによる雨水貯水施設の貯水容量の減少をより少なくすませることもできる。
【００３０】
この例では、予め、上段の左から２列目の樹脂製骨格ブロック４を紙面に対して手前から奥に向かって１列分そっくり外しておき、できた空間を貫くように配管１６、あるいは保護管１７を布設している。この場合には、貯水部２の地表面（側面）を覆っている透水性シ−トに予め配管１６、あるいは保護管１７を貫通させる穴を開けておき、この穴に配管１６、あるいは保護管１７を通したら、管の両端で、透水性シ−トと配管１６、あるいは保護管１７の間に隙間ができないように両者の接触面を熱あるいは接着剤等を用いて接着しておく。このようにしておけば、隙間から土砂が貯水部２内部に侵入してくることがなく好ましい。
尚、図７では雨水貯水施設の上部で配管１６、あるいは保護管１７を貫通させているが、例えば、図７における雨水貯水施設の中段部、左から数列目の樹脂製骨格ブロック４を、紙面に対して手前から奥に向かって１列分そっくり外して、できた空間を直に貫くように配管１６、あるいは保護管１７を布設することもできる。
【００３１】
また、配管１６、あるいは保護管１７の重さが重い場合には、貯水部２内部で配管１６、あるいは保護管１７の長手方向を数カ所、例えば、樹脂製骨格ブロック４上に載置した機械的強度に優れた支持部材２１で支えてもよい。この支持部材２１は、雨水貯水施設に固定されることが望ましい。
因みに、支持部材の大きさを樹脂製骨格ブロック４とほぼ同じにしておけば、雨水貯水施設内に設置されている樹脂製骨格ブロック４を必要箇所、この支持部材に置き換えるだけで支持部材の設置ができ、設置作業が容易で便利である。
あるいはまた、樹脂製骨格ブロック４を、その一部に支持部材２１を固定できる構造にしておくこともできる。このような構成にすると、配管１６、あるいは保護管１７を雨水貯水施設内の樹脂製骨格ブロック４で確実に支持できるので、強度的にもより安定し、かつ施工も容易になる。
また、前述したように、樹脂製骨格ブロック４とほぼ同じ大きさで支持部材の機能を有する専用の支持部材を予め用意しておけば、必要箇所の樹脂製骨格ブロック４を専用の支持部材に容易に置き換えることができるので、さらに工事が容易になる。さらにまた、配管１６や保護管１７に勾配を持たせるために、スペーサを用いて支持部材の高さを調整してもよいし、この専用の支持部材の構造を支持部の高さが調整可能なものにしておくこともできる。
【００３２】
前述した実施例では配管１６として下水管の例を示したが、上水道や液化ガス用の配管の場合にも同様である。もちろん、勾配の向きや大きさは配管内を流れる流体の種類等により、その都度選択される。
また配管１６、あるいは保護管１７としては、前述したように上下水道管等に限らず、電力ケーブルや通信ケーブル布設用の配管１６、またはこの配管１６あるいはケーブル類を収納した保護管１７であってもよい。これらの場合には敢えて配管１６、あるいは保護管１７に勾配を付与する必要はない。但し、電力ケーブルや通信ケーブルの場合には、配管１６、あるいは保護管１７内に水分が侵入することは絶対防がなければならない。それ故、配管１６、あるいは保護管１７の布設形態としては図１、図２あるいは図５、図６の形態のものがよく、配管１６、あるいは保護管１７が直接雨水と接触する図７に示すような布設形態は避ける方が好ましい。
【００３３】
また前述した各実施例では、配管布設用溝状空間１５を樹脂製の壁材で貯水部２と仕切って形成しているが、配管１６、あるいは保護管１７が電力ケーブルあるいは通信ケーブルを布設するためのものであるならば、樹脂製の壁材だけでなく、これにエチレンプロピレンゴム等の遮水性シートも重ねて、貯水部２と配管布設用溝状空間１５とを仕切ってもよい。このようにすると、配管布設用溝状空間１５の内部をより確実に防水することができる。
また、雨水貯水施設を横切って配管布設用溝状空間１５を形成したり、配管１６、あるいは保護管１７を直接、雨水貯水施設を貫通させたりする場合には、もし許されるならば、できるだけ雨水貯水施設を上から見た状態、すなわち、雨水貯水施設を平面に見たてた状態での短辺を横切るようにする。このようにすれば、配管１６、あるいは保護管１７の長さを短くでき、それ故、材料費や工事費をより安くできる。加えて、配管布設用溝状空間１５の勾配や配管１６あるいは保護管１７の勾配も取り易く、好ましい。
【００３４】
このように本発明の雨水貯水施設によれば、いずれの実施例においても上下水道用等の各種配管、あるいは保護管を雨水貯水施設の周囲を迂回させることなく雨水貯水施設を横切るように布設せしめている。そのため、布設に必要な配管長を短くでき、配管、あるいは保護管の材料費を大幅に低減できる。また、配管が上下水道用の配管であっても配管が直線状であって、しかも布設長が短いから必要な勾配も付け易い。それ故、布設工事も簡単で、工事費も低減できる。仮にポンプによる圧送を併用するにしても、配管の曲り部が少ないため配管内での流体の滞留も起こり難い。
【００３５】
以上に述べたように本発明によれば、上下水道用等の各種配管、あるいは保護管を雨水貯水施設の周囲を迂回させることなく雨水貯水施設を横切るように布設せしめることにより、配管、あるいは保護管の材料費や布設工事費等を大幅にコストダウン可能な雨水貯水施設を提供することができる。
【図面の簡単な説明】
【００３６】
【図１】本発明の雨水貯水施設の一実施例を示す概略断面図である。
【図２】図１に示す本発明の雨水貯水施設の一部概略平面図である。
【図３】本発明に係る保護管の一例を示す一部側面図である。
【図４】本発明に係る保護管のさらに別の例を示す一部側面図である。
【図５】本発明の雨水貯水施設の別の実施例を示す一部概略断面図である。
【図６】本発明の雨水貯水施設のさらに別の実施例を示す概略断面図である。
【図７】本発明の雨水貯水施設の別の実施例を示す概略断面図である。
【図８】従来の雨水貯水施設における配管の布設例を示す平面図である。
【符号の説明】
【００３７】
１  地面
２  貯水部
３  底面
４  樹脂製骨格ブロック
５  側壁
６  天板
７  被覆層
９  流入口
１０  沈殿槽
１２  流出口
１５  配管布設用溝状空間
１６  配管
１７  保護管
２１  支持部材
【図１】
2008231704.tif 000003
【図２】
2008231704.tif 000004
【図３】
2008231704.tif 000005
【図４】
2008231704.tif 000006
【図５】
2008231704.tif 000007
【図６】
2008231704.tif 000008
【図７】
2008231704.tif 000009
【図８】
2008231704.tif 000010